(57)【特許請求の範囲】
【請求項１】
薄葉体の展開状態で、左右方向長さが短尺の前面板部と、この前面板部の左右方向の一端部に上下方向の折曲線を介して接続された、該前面板部より左右方向長さが長尺の裏面板部とを有していること、
前記裏面板部には、その下方から上方に向けて、左右方向に互いに離間した一対のこぼれ止め装着溝が形成されていること、及び
前記前面板部と前記裏面板部の上記折曲線とは反対側の左右方向の自由端部にそれぞれ、該自由端部どうしを結合する自由端部結合手段を有すること、
を特徴とするこぼれ止め装着デバイス。
【請求項２】
請求項１記載のこぼれ止め装着デバイスにおいて、上記自由端部結合手段は、挿入舌片とこの挿入舌片を挿入する挿入溝からなっているこぼれ止め装着デバイス。
【請求項３】
請求項１記載のこぼれ止め装着デバイスにおいて、上記自由端部結合手段は、接着折曲縁と、この接着折曲縁に設けた両面テープであるこぼれ止め装着デバイス。
【請求項４】
請求項１ないし３のいずれか１項記載のこぼれ止め装着デバイスにおいて、薄葉体は紙体であるこぼれ止め装着デバイス。 
【発明の詳細な説明】
【技術分野】
【０００１】
本発明は、例えばスーパーマーケット等量販店の商品陳列棚のこぼれ止めに装着して用いるデバイスに関する。
【背景技術】
【０００２】
商品陳列棚には通常、その前方に、商品がこぼれ落ちるのを防ぐこぼれ止め（板材又は線材からなる商品ストッパ）が設けられている。このこぼれ止めには、商品名、値段等を表示する表示デバイス、あるいはサンプル商品を保持するための商品保持デバイス（こぼれ止め装着デバイス、以下単に装着デバイス）が装着するのが普通である。
【先行技術文献】
【特許文献】
【０００３】
【特許文献１】特開２００１-１０４１１９号公報
【特許文献２】特開２００３-１１１６５２号公報
【発明の概要】
【発明が解決しようとする課題】
【０００４】
この装着デバイスは従来、こぼれ止めに対して上方から着脱するべく断面コ字状をなしており、断面コ字状の前後の一対の脚部をこぼれ止めに対して開閉し、あるいはこぼれ止めに対してスライド可能としていた。このため、自由状態での体積が大きく、運搬保管時のスペース効率が悪かった。
【０００５】
また、従来の装着デバイスは、こぼれ止めに装着される合成樹脂材料からなるクリップ本体と、このクリップ本体に接着（結合）される紙材とから構成されているものがある。このため、製造時にはクリップと紙材の結合作業が必要であるのみならず、廃棄時には、ごみの分別収集のため、クリップ（合成樹脂材料）と紙材を分離する作業が必要であった。
【０００６】
本発明は、以上の問題意識に基づき、非使用状態では平面状で、運搬保管時のスペース効率を飛躍的に高めることができる、紙等の薄葉体からなるこぼれ止め装着デバイスを得ることを目的とする。
また、本発明は、薄葉体だけから構成可能なこぼれ止め装着デバイスを得ることを目的とする。
【課題を解決するための手段】
【０００７】
本発明のこぼれ止め装着デバイスは、薄葉体の展開状態で、左右方向長さが短尺の前面板部と、この前面板部の左右方向の一端部に上下方向の折曲線を介して接続された、該前面板部より左右方向長さが長尺の裏面板部とを有していること、裏面板部には、その下方から上方に向けて、左右方向に互いに離間した一対のこぼれ止め装着溝が形成されていること、及び前面板部と前記裏面板部の上記折曲線とは反対側の左右方向の自由端部にそれぞれ、該自由端部どうしを結合する自由端部結合手段を有すること、を特徴としている。
【０００８】
自由端部結合手段は、例えば挿入舌片とこの挿入舌片を挿入する挿入溝から構成することができる。あるいは、接着折曲縁と、この接着折曲縁に設けた両面テープから構成することができる。両者を併用してもよい。
【０００９】
薄葉体は、薄いプラスチック板から構成することも可能であるが、紙体とすると廃棄処理が容易である。
【発明の効果】
【００１０】
本発明のこぼれ止め装着デバイスは、非使用状態では平面状であるから、運搬及び保管が容易である。そして、前面板部と裏面板部の自由端部どうしを結合すると、長尺の裏面板部が撓む（円筒の一部を構成する）ため、該裏面板部に形成されている一対のこぼれ止め装着溝を容易にこぼれ止めに係合させることができる。前面板部には、必要な商品表示（商品名、価格等）を施し、あるいはサンプル商品の保持部を形成することで、有効な商品表示を行うことができる。
【図面の簡単な説明】
【００１１】
【図１】本発明によるこぼれ止め装着デバイスの一実施形態を示す展開図である。
【図２】同こぼれ止め装着デバイスの組み立て状態を後方から見て示す斜視図である。
【図３】同こぼれ止め装着デバイスを商品陳列棚のこぼれ止めに装着した斜視図である。
【図４】本発明によるこぼれ止め装着デバイスの別の実施形態を示す展開図である。
【発明を実施するための形態】
【００１２】
図１は、本発明による紙製こぼれ止め装着デバイス１００の展開図である。本こぼれ止め装着デバイス１００は、横長の前面板部１０と、この前面板部１０の長さ方向（図１の左右方向）の一端部に折曲線（筋押し溝またはミシン目）３０を介して接続された裏面板部２０を有している。裏面板部２０の横方向長さＸは、前面板部１０の横方向長さＹより長い。
【００１３】
前面板部１０と裏面板部２０の折曲線３０とは反対側の自由端部には、自由端部結合手段として、挿入舌片４０と、挿入溝５０が形成されている。挿入舌片４０を挿入溝５０に挿入して前面板部１０と裏面板部２０を結合すると、裏面板部２０は前面板部１０より長いため、図２のように湾曲し、円筒面の一部になる。
【００１４】
裏面板部２０には、その下方から上方に向けて、互いに離間していて上端が閉じた一対のこぼれ止め装着溝（スリット）６０が形成されている。この一対のこぼれ止め装着溝６０は、上方に行くに従い、互いに接近する方向に傾斜している。
【００１５】
以上のこぼれ止め装着デバイス１００の前面板部１０の表面には、図示しない商品表示あるいは商品保持部が形成されている。このこぼれ止め装着デバイス１００は、前面板部１０と裏面板部２０を挿入舌片４０と挿入溝５０によって結合した状態において、図３に示すように、一対のこぼれ止め装着溝６０を商品陳列棚７０のこぼれ止め７１に装着して用いる。前述のように裏面板部２０は湾曲しているため、一対のこぼれ止め装着溝６０の間の裏面板部２０は、こぼれ止め７１から離反している（一対のこぼれ止め装着溝６０を結ぶ平面に対して裏面板部２０は離間している）。このため、容易にこぼれ止め７１に装着することができる。また、裏面板部２０は湾曲させることによって平面に戻ろうとする反発力（張力）が加わるから、薄い紙葉体から構成しても十分なこぼれ止めに対する装着力が得られる。
【００１６】
また、一対のこぼれ止め装着溝６０が上方に行くに従い互いに接近する方向に傾斜していると、線材からなるこぼれ止め７１に差し込むときに、一対の装着溝６０の間の舌片が開いた後閉じてこぼれ止めに固定される。
【００１７】
裏面板部２０の長さＸは、前面板部１０の長さＹを考慮して、以上の装着操作ができるように定める。具体的には例えば、Ｘ＝１．０５Ｙから１．１０Ｙ程度としたとき、よい結果が得られた。
【００１８】
図４は、前面板部１０と裏面板部２０の自由端部結合手段の別の実施形態を示している。この例は、裏面板部２０の折曲線３０とは反対側の端部に接着折曲縁５１を設け、この接着折曲縁５１に両面テープ５２を設けたものである。接着折曲縁５１を折り曲げて前面板部１０に接着することで、こぼれ止め装着デバイス１００が得られる。前面板部１０と裏面板部２０の自由端部結合手段は、変形が可能である。
【符号の説明】
【００１９】
１０  前面板部
２０  裏面板部
３０  折曲線
４０  挿入舌片（自由端部結合手段）
４１  両面テープ
５０  挿入溝（自由端部結合手段）
５１  接着縁（自由端部結合手段）
５２  両面テープ（自由端部結合手段）
６０  こぼれ止め装着溝
７０  商品陳列棚
７１  こぼれ止め
１００  こぼれ止め装着デバイス
【図１】
0005725915.tif 000002
【図２】
0005725915.tif 000003
【図３】
0005725915.tif 000004
【図４】
0005725915.tif 000005